(57)【要約】【課題】  低コストで活着率のよい挿木による緑化工法及び挿木固定具を提供する。【解決手段】  挿木を略直立状態に支持する支保部、網状の型枠部、及び地山に固定するための固定部とを具備する挿木固定具を地山に固定する工程と、固定された挿木固定具の支保部により挿木を支持させ、挿木の下端部を地山に当接させるか又は挿入することにより略直立状態で設置する工程と、設置された挿木を中心に生育基盤が盛り上がった形状となるべく植生基材を吹き付けることにより挿木を固定する工程とを有する。【選択図】  図４
2005040069.tif 000002
【特許請求の範囲】
【請求項１】
挿木を地山に対して固定するための挿木固定具において、
挿木を地山の表面に対して略直立状態又は略鉛直状態に支持するための１又は複数の支保部と、
前記支保部の周囲を取り囲む網状の型枠部と、
前記型枠部を前記地山に固定するための固定部とを有することを特徴とする
挿木固定具。
【請求項２】
挿木工による緑化工法において、
挿木の下端部を地山の表面に対して当接させるか又は挿入することにより該挿木を略直立状態又は略鉛直状態で設置する工程と、
設置された前記挿木を中心に生育基盤が盛り上がった形状となるべく前記地山に対して植生基材を吹き付けることにより該挿木を固定する工程とを有すること特徴とする
挿木工による緑化工法。
【請求項３】
挿木工による緑化工法において、
挿木を地山の表面に対して略直立状態又は略鉛直状態に支持するための１又は複数の支保部、該支保部の周囲を取り囲む網状の型枠部、及び該型枠部を該地山に固定するための固定部とを具備する挿木固定具を該地山に固定する工程と、
固定された前記挿木固定具の前記支保部により挿木を支持させると共に、該挿木の下端部を地山の表面に対して当接させるか又は挿入することにより該挿木を略直立状態で設置する工程と、
設置された前記挿木を中心に生育基盤が盛り上がった形状となるべく前記地山に対して植生基材を吹き付けることにより該挿木を固定する工程とを有すること特徴とする
挿木工による緑化工法。
【発明の詳細な説明】
【技術分野】
【０００１】
本発明は、法面（任意の傾斜面を含む）の裸地や、植生された法面等に挿木を設置するための挿木固定具、並びに挿木工により植物を導入するための緑化工法に関する。特に、挿木の直挿しや挿木後の活着が困難な、硬質切土法面、急傾斜法面、既存植生法面において、挿木工により植物を効率的に導入するための挿木固定具並びに挿木工による緑化工法に関する。
【背景技術】
【０００２】
挿木工は、古くから行われてきた緑化工法であり、主に枝挿しが行われている。実際の施工に当たっては、地山が軟質である場合には法面等に対して直接挿木を行ったり（直挿し）、地山が硬質である場合には予め地山を穿孔した後に挿木したり、あるいは植生基材吹付工等によって生育基盤を造成した後に挿木したりする方法がとられてきた。従来例としては、特許文献１及び２等がある。
【０００３】
特許文献１には、硬質法面上に柵状物等を設置した後、植生基材を導入し、その植生基材に対して挿木を行う緑化工法が記載されている。
特許文献２には、堤の法面上に網状基材と、その上面から突出する網状筒部とを設置し、網状筒部内に土壌等を充填した土嚢を収容し、その土嚢に対して挿木を行う緑化工法が記載されている。
【特許文献１】特開平９−１１９１３６号公報
【特許文献２】特開平１１−３２３９３８号公報
【発明の開示】
【発明が解決しようとする課題】
【０００４】
挿木工を行う場合、挿木の十分な挿入が可能な土層を有する軟質法面等では問題は発生しないが、法面等や生育基盤を造成した後に直接挿木することが困難な硬質法面では、予め挿木箇所に挿木挿入孔を穿孔する必要があった。このため、施工の手間がかかり、それに伴うコスト増を招来していた。
【０００５】
一般的に、挿木には、長さ２０〜３０cm内外のものが多く使用される。ところが、通常の法面緑化工で適用される植生基材吹付工（厚層基材吹付工、客土種子吹付工、種子散布工を含む）によって造成する生育基盤の厚さは、０．５〜５cm程度が多いことから、硬質法面の緑化においては、さらに厚い生育基盤を造成しない限り直挿しすることは困難であった。また、挿木の長さを上記の範囲より短くすると、活着率が著しく低下するなどの問題を有していた。
【０００６】
加えて、硬質粘性土や岩質法面のように排水不良な地山に挿木挿入孔を穿孔して挿木を行うと、挿木挿入孔内に雨水等が滞水して根腐れ等を生じ、挿木が活着しなかったり、生育不良となることもあった。
【０００７】
法面緑化において挿木工を施工する場合、活着を良好にするためには、深挿しをすることにより乾燥防止することが好ましい。従って、硬質法面のように直挿しが困難な立地において挿木を行うには、その十分な挿入深さを確保するために地山の上に客土工を行ったり、植生基材吹付工によって挿木に好適な厚さの（通常より遙かに厚い）生育基盤を造成したりする必要があった。しかしながら、これには多大なコストを要していた。また、やむなく挿木を浅挿しにすることもあったが、乾燥の影響で挿木の活着率は大幅に低下することとなった。
【０００８】
さらに、既に植生された法面に対して再緑化を目的とする挿木工を行う場合には、既存植生によって挿木が被圧を受け、挿木による緑化が困難となる場合が多かった。
またさらに、急勾配法面における挿木工による施工が、作業上極めて困難を伴うことはいうまでもない。
【０００９】
以上の問題点に鑑み、本発明の目的は、作業負担が少なく低コストで施工可能でありかつ活着率を高めることができる挿木固定具と、これを用いた挿木による緑化工法を提供することである。
【課題を解決するための手段】
【００１０】
上記の種々の問題点を解決すべく、本発明は、以下の構成を提供する。
（１）請求項１に係る挿木固定具は、挿木を地山に対して固定するための挿木固定具において、(a)挿木を地山の表面に対して略直立状態又は略鉛直状態に支持するための１又は複数の支保部と、(b)前記支保部の周囲を取り囲む網状の型枠部と、(c)前記型枠部を前記地山に固定するための固定部とを有することを特徴とする。
【００１１】
（２）請求項２に係る挿木工による緑化工法は、(a)挿木の下端部を地山の表面に対して当接させるか又は挿入することにより該挿木を略直立状態又は略鉛直状態で設置する工程と、(b)設置された前記挿木を中心に生育基盤が盛り上がった形状となるべく前記地山に対して植生基材を吹き付けることにより該挿木を固定する工程とを有すること特徴とする。
【００１２】
（３）請求項３に係る挿木工による緑化工法は、(a)挿木を地山の表面に対して略直立状態又は略鉛直状態に支持するための１又は複数の支保部、該支保部の周囲を取り囲む網状の型枠部、及び該型枠部を該地山に固定するための固定部とを具備する挿木固定具を該地山に固定する工程と、(b)固定された前記挿木固定具の前記支保部により挿木を支持させると共に、該挿木の下端部を地山の表面に対して当接させるか又は挿入することにより該挿木を略直立状態で設置する工程と、(c)設置された前記挿木を中心に生育基盤が盛り上がった形状となるべく前記地山に対して植生基材を吹き付けることにより該挿木を固定する工程とを有すること特徴とする。
【発明の効果】
【００１３】
本発明によれば、特に挿木工の施工作業に困難を伴う急勾配法面、挿木の直挿しが困難な硬質法面、既存の植生された法面を再緑化する際に、挿木工を施工する場合、次のような作用効果を奏する。
i)挿木を挿入するために穿孔する事前作業が不要となる。
ii)いかなる急勾配の傾斜面上でも、挿木を一定位置に保持することができる。
iii)植生基材の吹付によって挿木を固定するため、直挿し時に生じる挿木の損傷や、挿木のぐらつきによる間隙の発生による活着低下を防止できる。
iv)既に植生された法面の再緑化における挿木であっても、被圧を防止することができる。
【００１４】
本発明は、施工地周辺で採取された挿木を利用する上で非常に優れた工法であり、近年に見る住民参加型の工事などにおいても容易に採用可能である。また、既存植生面に手軽に木本植物を導入する再緑化のための工法としても有用である。
【発明を実施するための最良の形態】
【００１５】
以下、図面を参照することにより、本発明の最良の形態を例を挙げつつ説明する。ここでは、主に、挿木を地山の表面に対して「略直立状態（説明は後述する）」に設置した場合を例に説明する。
図１（Ａ）は、本発明による挿木固定具の一実施例を示した外観斜視図である。本発明による挿木固定具は、挿木を地山に対して略直立状態で保持しかつ固定するために補助する機能を担う。このために、図１の挿木固定具１０は、挿木を地山の表面に対して略直立状態に支持するための２つの支保部１３、１４と、支保部１３、１４の周囲を取り囲む網状の型枠部１１と、型枠部１１を地山に固定するための固定部１２ａ、１２ｂとを有する。尚、「略直立状態」とは、通常２０〜３０cm程度の長さの挿木本体の軸が、地山の表面に対してほぼ直角に起立している状態をいう。
【００１６】
本発明の別の形態として、図１（Ａ）と同様の挿木固定具を用いて、挿木を略直立状態ではなく地山に対して略鉛直状態で保持しかつ固定してもよい。「略鉛直状態」とは、通常２０〜３０cm程度の長さの挿木本体の軸が、地山の傾斜に関わらずほぼ鉛直状態に起立している状態をいう。
【００１７】
いずれの場合も「略」と称したのは、挿木本体がそもそも自然のものであることから、必ずしも幾何学的に正確な「直角」若しくは「鉛直」である必要はないためである。
【００１８】
本発明における挿木固定具の材料は、挿木が活着した後には消失する性質のものが好ましい。例えば、金属や生分解性樹脂等である。
【００１９】
図１（Ａ）の挿木固定具１０の２つの支保部は、上側の第１支保部１３と下側の第２支保部１４からなる。使用の際には、これらの支保部１３、１４の中に挿木が挿入される。従って、これらの支保部は、植生基材吹き付け時に挿木が倒伏したり移動したりしないように支持可能な強度を要する。図示の例では、２つの支保部１３、１４がいずれも環状部材から形成されている。別の例として、図１（Ｂ）に示すように、第１支保部１３が型枠部１１の頂部に穿設した開口部であっても、開口部の周縁によって挿木を支持する機能を果たすことができる。さらにまた、環状部材ではなく、他の形状の部材でもよい。例えば、図１（Ｃ）に示すように、互いに対向する一対のコの字型若しくはＵ字型の部材１３ａ、１３ｂからなる支保部１３でもよい。支保部の大きさ（直径若しくは横方向の長さ）は、挿木の直径サイズによって適宜設定できるが、通常、３〜５cm程度である。支保部の数については、少なくとも挿木の上端部に近い部分を支持するために上側の第１支保部１３は必要であるが、挿木の下端部を地山に対してわずかでも挿入する場合は、下側の第２支保部１４を省いてもよい。一方、挿木の下端部を地山の表面に当接させるだけの場合は、第２支保部１４を設けることが、挿木の安定確保のために最適である。また、第１支保部１３と第２支保部１４の間の中間位置に更なる支保具を設けることは、任意である。
【００２０】
支保部１３、１４の周囲を取り囲む型枠部１１は、支保部の周囲の空間を覆うように拡がる半球形状であり、例えば線材を用いて網状に形成される。網状とするのは、植生基材吹付工の際に植生基材が型枠部１１を通過してその内部空間を充填できるようにするためである。従って、網目が小さすぎると、型枠部１１の内部空間に十分圧密された状態の生育基盤が造成されないため、少なくとも２cm目程度以上の網目を有していることが好ましい。
【００２１】
型枠部１１の高さは、挿木固定具１０を設置した後に植生基材吹付工を行うことから、型枠部１１すなわち挿木固定具１０が吹き付けによって埋没する程度の高さであることが好ましい。これにより、設置した挿木の安定性を確保できると共に、施工時の吹き付け厚の目安とすることもできるからである。
【００２２】
前述の上側の第１支保部１３は、型枠部１１の頂部中央に取り付けられている。一方、下側の第２支保部１４は、型枠部１１の下端近傍の対向位置からそれぞれ中心に向かって延びる一対の線材からなる支保部用取付部１５ａ、１５ｂに取り付けられている。尚、支保部１３、１４と型枠部１１とは一体化されるが、その取り付け方法は、図示の例に限られない。
【００２３】
固定部１２ａ、１２ｂは、型枠部１１の下端の対向位置からそれぞれ外側に向かって延びる一対の平板からなり、各々にアンカー孔１６ａ、１６ｂが穿設されている。このアンカー孔１６ａ、１６ｂにそれぞれアンカーを挿通し、地山に固定することにより、挿木固定具１０を地山に固定することができる。なお、アンカーの打設は、アンカー孔を有しない部分には、アンカーピンの頭部をフック状に加工したもの（法面工における金網張工で使用するアンカーピンなど）を用いることによって適宜設置することができる。
【００２４】
図１（Ｄ）は、図１（Ａ）の挿木固定具１０の底面図である。また、図１（Ｅ）は、図１（Ａ）の挿木固定具１０に、挿木６０を挿入した状態を示す外観斜視図である。挿木６０には、挿木による繁殖が可能な植物であれば用いることができる。一般的には、長さ２０〜３０cm程度内外の挿木が用いられることが多い。挿木工で導入可能な代表的な植物としては、針葉樹では、アスナロ、イチイ、イチョウ、イヌマキ、カイズカイブキ、キャラボク、コノテガシワ、サワラ、スギ、ニオイヒバ、ネズコ、ハイビャクシン、ヒノキ、ビャクシン、ラクウショウなど、常緑広葉樹では、アオキ、アセビ、アラカシ、イスノキ、イヌツゲ、ウバメガシ、エニシダ、オガタマノキ、カクレミノ、カシ類、カナメモチ、キョウチクトウ、キンモクセイ、ギンモクセイ、クサツゲ、クチナシ、ゲッケイジュ、サザンカ、サツキ、サンゴジュ、シャクナゲ、ジンチョウゲ、ツゲ、ツツジ類、ツバキ、ナンテン、ハクチョウゲ、ヒイラギ、ピラカンサ、マサキ、マメツゲ、モッコク、ユズリハなど、落葉広葉樹では、イボタノキ、ウツギ、エンジュ、オウバイ、キンシバイ、ギョリュウ、グミ類、クワ、サクラ類、ザクロ、ドウダンツツジ、ニシキギ、ボケ、ポプラ、モクレン、ヤナギ類、レンギョウなどがある。
【００２５】
図２（Ａ）は、本発明の別の実施例である挿木固定具２０の外観斜視図である。本実施例では、網状の型枠部２１が半円筒形状であり、その頂部中央に第１支保部２３が取り付けられ、底面近傍中央に一対の支保部用取付部２５ａ、２５ｂにより第２支保部２４が取り付けられている。型枠部２１の下端の対向位置からそれぞれ外側へ向かって一対の固定部２２ａ、２２ｂが延びており、各々アンカー孔２６ａ、２６ｂが穿設されている。図２（Ｂ）は、図２（Ａ）の挿木固定具２０に、挿木６０を挿入した状態を示す外観斜視図である。
【００２６】
図３（Ａ）は、本発明のさらに別の実施例である挿木固定具３０の外観斜視図である。本実施例では、網状の型枠部３１が立方体形状であり、その頂部中央に第１支保部３３が取り付けられ、底面近傍中央に一対の支保部用取付部３５ａ、３５ｂにより第２支保部３４が取り付けられている。型枠部３１の下端の対向位置からそれぞれ外側へ向かって一対の固定部３２ａ、３２ｂが延びており、各々アンカー孔３６ａ、３６ｂが穿設されている。図３（Ｂ）は、図３（Ａ）の挿木固定具３０に、挿木６０を挿入した状態を示す外観斜視図である。
【００２７】
図４は、本発明による挿木工による緑化工法の施工状況を、概略的かつ模式的に示した地山８０の断面図である。
【００２８】
図示しないが、最も基本的な態様は、次の工程からなる。先ず、挿木の下端部を地山の表面に対して当接させるか又は挿入することにより該挿木を略直立状態で設置する。次に、地山に対して植生基材を吹き付ける植生基材吹付工を行う。この植生基材吹付工では、設置された挿木を中心に生育基盤が盛り上がった形状となるべく地山に対して植生基材を吹き付けることにより挿木を固定する。この基本態様は、前述のような挿木固定具を用いない場合も含む。
【００２９】
好適な態様では、図１〜３に示したような挿木固定具を用いる。図４では、一例として、図１に示した半球形状の挿木固定具１０を用いている。尚、図４には、地山８０の山側と谷側の２箇所に２つの施工例を示している。山側の施工例について説明すると、施工においては、先ず、挿木固定具１０の固定部１２ａ、１２ｂにアンカーピン４０ａ、４０ｂをそれぞれ通し、地山８０に打ち込むことにより、挿木固定具１０を地山８０に固定する。次に、固定された挿木固定具１０の支保部に挿木６０を挿入し、挿木６０を略直立状態に支持させる。この場合、挿木６０の下端部は地山の表面に対して当接させている。その後、設置された挿木６０を中心に生育基盤５０ａが盛り上がった形状となるべく地山８０に対して植生基材を吹き付けることにより挿木６０を固定し、施工を完了する。施工後には、挿木固定具１０は、生育基盤５０ａに埋没する。
【００３０】
図４の谷側の施工例について説明すると、先ず、アンカーピン４０ａ、４０ｂにより挿木固定具１０を地山８０に固定し、次に、固定された挿木固定具１０の支保部に挿木６０を挿入し、挿木６０を支持させる工程までは、上記の山側の施工例と同様であるが、この例では、挿木６０の下端部６０ａを地山８０に挿入させ、挿木６０の安定性を確保している。挿木６０の下端部６０ａをわずかでも挿入可能な地山８０に対してはこの手法を用いることができる。その後、地山８０に対して植生基材を吹き付ける工程において、地山８０の全面５０ｂに生育基盤を造成すると共に、設置された挿木６０を中心に生育基盤５０ｃが盛り上がった形状となるべく造成する。やはり、施工後には、挿木固定具１０は、生育基盤５０ｃに埋没する。
【００３１】
図５は、挿木６０を略鉛直状態に保持固定した場合の施工例を示した、図４と同様の図である。一般的に、挿入を容易にして皮の剥離を防止するために挿木は基部（下端部）６０ａを斜めに切り、それにより尖った部分の切り返しを行って地山８０に挿入する。挿木６０を略鉛直状態に保持するときであっても、地山への挿木の挿入を行わずに法面上に挿木固定具を用いて挿木を設置する場合には、挿木の基部を斜めに切る必要はない。しかしながら、地山に挿木を挿入する場合には、挿木の挿入を行い易くするために上述したような基部の処理が必要となる。この場合には、挿木を略鉛直状態に保持できる挿木固定具１０を用いるとよい。また、挿木の基部６０ａを斜めに切断した挿木を、地山８０への挿入を行わずに法面上に挿木固定具を用いて設置する場合にも、挿木を略鉛直状態に支持できる挿木固定具１０を用いるとよい。
【００３２】
挿木６０を略鉛直状態の支持できる挿木固定具１０は、図１〜３に示したものをそのまま用いる場合は、型枠部を構成する線材のうち横方向に張られたものに挿木を立て掛け、添わせることで、挿木を支持することができる。あるいは、図１〜３の挿木固定具の支保部１３を型枠部の頂部ではなく、地山の傾斜に対応するような角度で型枠部の適宜の位置に取付け、この支保部１３に挿木を挿入して支持してもよい。
【００３３】
このように挿木固定具を用いることにより、急勾配法面や硬質法面においても確実に挿木を支持することができ、植生基材吹付工によって容易に固定することができる。
【００３４】
図４の施工例の通り、生育基盤の造成は、植生基材吹付工により行われるが、挿木と造成した生育基盤と地山との高い密着性を確保し、かつ施工後の挿木の活着率を高めるためには、厚層基材吹付工が好適である。なお、生育基盤を盛り上がった形状とするのは、挿木を法面等の傾斜地において十分固定するという目的のほか、地山に挿木が十分挿入できない場合においても、挿木が深挿し状態となるようにするために行う。このようにすることにより、生育基盤や挿木の乾燥や蒸散過多による活着不良、枯損などを防止することができる。また、生育基盤を盛り上げる高さは、前述した問題を回避するためには挿木の頂点部が１０cm未満となるようにすることが好ましく、より好適には挿木の頂点部が１〜３cm程度露出する程度にすることが好ましい。
【００３５】
尚、既存の植生された法面に施工する場合には、植生基材と地山との接着性を高めるために、設置箇所周辺のみ草刈りをおこなってから挿木固定具を設置するとよい。挿木設置箇所は、周辺より盛り上がった形状となるため、主に緑化用草本類などによる被圧を防止することができる。また、挿木箇所周辺に生育基盤を造成することによって、既存植生の出芽を抑え、挿木を良好に成長させることができる。挿木周辺に造成する生育基盤の範囲は、既存植生の生育状況によって適宜設定される。
【図面の簡単な説明】
【００３６】
【図１（Ａ）】本発明による挿木固定具の一実施例を示した外観斜視図である。
【図１（Ｂ）】挿木固定具の支保部の別の実施例の斜視図である。
【図１（Ｃ）】挿木固定具の支保部の別の実施例の斜視図である。
【図１（Ｄ）】図１（Ａ）の挿木固定具の底面図である。
【図１（Ｅ）】図１（Ａ）の挿木固定具に、挿木を挿入した状態を示す外観斜視図である。
【図２（Ａ）】本発明の別の実施例である挿木固定具の外観斜視図である。
【図２（Ｂ）】図２（Ａ）の挿木固定具に、挿木を挿入した状態を示す外観斜視図である。
【図３（Ａ）】本発明のさらに別の実施例である挿木固定具の外観斜視図である。
【図３（Ｂ）】図３（Ａ）の挿木固定具に、挿木を挿入した状態を示す外観斜視図である。
【図４】本発明による挿木工による緑化工法の施工状況（挿木を略直立状態に支持）を、概略的かつ模式的に示した地山の断面図である。
【図５】本発明による挿木工による緑化工法の施工状況（挿木を略鉛直状態に支持）を、概略的かつ模式的に示した地山の断面図である。
【符号の説明】
【００３７】
１０、２０、３０  挿木固定具
１１、２１、３１  型枠部
１２、２２、３２  固定部
１３、２３、３３  第１支保部
１４、２４、３４  第２支保部
１５ａ、１５ｂ、２５ａ、２５ｂ、３５ａ、３５ｂ  支保部用取付部
４０ａ、４０ｂ  アンカーピン
５０ａ、５０ｂ、５０ｃ、５０ｄ  生育基盤
６０  挿木
６０ａ  挿木下端部
８０  地山
【図１（Ａ）】
2005040069.tif 000003
【図１（Ｂ）】
2005040069.tif 000004
【図１（Ｃ）】
2005040069.tif 000005
【図１（Ｄ）】
2005040069.tif 000006
【図１（Ｅ）】
2005040069.tif 000007
【図２（Ａ）】
2005040069.tif 000008
【図２（Ｂ）】
2005040069.tif 000009
【図３（Ａ）】
2005040069.tif 000010
【図３（Ｂ）】
2005040069.tif 000011
【図４】
2005040069.tif 000012
【図５】
2005040069.tif 000013